(57)【要約】【課題】貯蔵室の収納容積を大きく確保することができると共に、冷却器で冷却された空気を効率良く流すことができる供給風路を備える冷蔵庫を提供する。【解決手段】少なくとも上段の冷凍室３と下段の冷蔵室４とに区画される貯蔵室と、冷凍室３の後方に形成される冷却室３０と、冷却室３０と貯蔵室とをつなぐ供給風路と、を備え、供給風路は、冷凍室３の後方且つ冷却室３０の前方に形成されて冷却室３０につながる冷凍室供給風路１１と、冷蔵室４の後方に形成される冷蔵室供給風路１３と、冷凍室３と冷蔵室４とを区画する仕切壁８の後方に形成されて冷凍室供給風路１１と冷蔵室供給風路１３とをつなぐ連結風路１２と、を有し、連結風路１２には、連結風路１２の上部よりも下部が後方になるよう曲り部１５が形成される。これにより、冷蔵室４の収納容積を大きく確保することができると共に、冷却された空気を効率良く流すことができる。【選択図】図３
2017106670.tif 000002
【特許請求の範囲】
【請求項１】
少なくとも上段の冷凍室と下段の冷蔵室とに区画される貯蔵室と、
前記冷凍室の後方に形成される冷却室と、
前記冷却室の内部に配設されて前記貯蔵室に供給される空気を冷却する冷却器と、
前記冷却室と前記貯蔵室とをつなぐ供給風路と、を備え、
前記供給風路は、前記冷凍室の後方且つ前記冷却室の前方に形成されて前記冷却室につながる冷凍室供給風路と、前記冷蔵室の後方に形成される冷蔵室供給風路と、前記冷凍室と前記冷蔵室とを区画する仕切壁の後方に形成されて前記冷凍室供給風路と前記冷蔵室供給風路とをつなぐ連結風路と、を有し、
前記連結風路には、前記連結風路の上部よりも下部が後方になるよう曲り部が形成されることを特徴とする冷蔵庫。
【請求項２】
前記曲り部は、前記冷却室の下部近傍を画成する仕切体の前面から底面に沿って形成されることを特徴とする請求項１に記載の冷蔵庫。
【請求項３】
前記冷却室の下部近傍を画成する仕切体には、前記仕切体の前面と底面とをつなぎ前方から後方に向かって下降傾斜する傾斜面が形成されることを特徴とする請求項１または請求項２に記載の冷蔵庫。
【請求項４】
前記曲り部は、前記傾斜面に沿って形成されることを特徴とする請求項３に記載の冷蔵庫。
【請求項５】
前記連結風路は、前記仕切体と一体的に成形されることを特徴とする請求項２ないし請求項４の何れか１項に記載に冷蔵庫。
【発明の詳細な説明】
【技術分野】
【０００１】
本発明は、貯蔵室内に食品等を冷却保存する冷蔵庫に関し、特に、冷却器で冷却された空気を上下に区画された貯蔵室に供給するための供給風路を有する冷蔵庫に関する。
【背景技術】
【０００２】
従来、貯蔵室の上段に冷凍室が区画され、下段に冷蔵室が区画される、いわゆるトップフリーザ方式の冷蔵庫がある。この種の冷蔵庫において、冷凍室の後方に形成される冷却室に冷却器が配設され、その冷却器で冷却された空気が冷蔵室の後方に形成される冷蔵室供給風路を経由して冷蔵室に供給される構成が知られている。
【０００３】
例えば、特許文献１に開示された冷蔵庫は、冷蔵庫本体の上部に冷凍室、その下部に冷蔵室を有する。同文献の冷蔵庫では、冷蔵庫本体の冷凍室の背面に冷却室があり、その冷却室に冷気を生成する冷却器が設けられる。
【０００４】
そして、冷蔵室の背面中央部には、冷却器で生成された冷気を冷蔵室に供給する冷気ダクトが設けられる。冷気ダクトは、上下方向に延在し、冷気ダクトの上部は、連結ダクトによって冷却室の中央部分に接続されている。詳しくは、連結ダクトは、冷凍室の背面部の冷却器の前面から、下方に向かって略垂直に形成され、冷蔵室の背面部に設けられる冷気ダクトの上部に接続されている。
【０００５】
また同様に、例えば、特許文献２に開示された冷蔵庫も、上下２つに区画される貯蔵室を備える。上部の貯蔵室は、冷凍室であり、下部の貯蔵室は、冷蔵室及び野菜室である。冷却器は、冷凍室の背部に形成される冷却室に設けられ、冷却室の中央部分下部には、冷蔵室や野菜室につながる冷気供給口が、冷却器の前面側から下方に向かって略直線的に形成されている。
【先行技術文献】
【特許文献】
【０００６】
【特許文献１】特開２０１４−１３７１８５号公報（第６−７頁、第３図）
【特許文献２】特開２０１３−２４５８８５号公報（第５−６頁、第２図）
【発明の概要】
【発明が解決しようとする課題】
【０００７】
しかしながら、上記した従来技術の冷蔵庫では、貯蔵室の収納容積を大きく確保するために、供給風路の構成について改善の余地があった。
【０００８】
具体的には、特許文献１に開示された冷蔵庫のように、連結ダクトが冷凍室の底面近傍から下方に向かって略垂直に形成される構成では、連結ダクトの下部に接続される冷気ダクトの上部が冷蔵室の上部において前方に突出する。そのため、冷蔵室の収納容積が小さくなるという問題点があった。
【０００９】
また、特許文献２に開示された冷気供給口についても、冷凍室と冷蔵室との間において上下方向に略直線的に形成されている。そのため、前述した特許文献１の冷蔵庫と同様に、冷蔵室の上部において、収納容積が小さくなる。
【００１０】
また一般的に、冷蔵庫の冷却効率を高めて省エネルギ化を図る観点から、貯蔵室に供給される空気が流れる供給風路は、流動損失が小さく、空気を効率良く流せることが求められる。
【００１１】
本発明は、上記の事情に鑑みてなされたものであり、その目的とするところは、貯蔵室の収納容積を大きく確保することができると共に、冷却器で冷却された空気を効率良く流すことができる供給風路を備える冷蔵庫を提供することにある。
【課題を解決するための手段】
【００１２】
本発明の冷蔵庫は、少なくとも上段の冷凍室と下段の冷蔵室とに区画される貯蔵室と、前記冷凍室の後方に形成される冷却室と、前記冷却室の内部に配設されて前記貯蔵室に供給される空気を冷却する冷却器と、前記冷却室と前記貯蔵室とをつなぐ供給風路と、を備え、前記供給風路は、前記冷凍室の後方且つ前記冷却室の前方に形成されて前記冷却室につながる冷凍室供給風路と、前記冷蔵室の後方に形成される冷蔵室供給風路と、前記冷凍室と前記冷蔵室とを区画する仕切壁の後方に形成されて前記冷凍室供給風路と前記冷蔵室供給風路とをつなぐ連結風路と、を有し、前記連結風路には、前記連結風路の上部よりも下部が後方になるよう曲り部が形成されることを特徴とする。
【００１３】
また、本発明の冷蔵庫は、前記曲り部は、前記冷却室の下部近傍を画成する仕切体の前面から底面に沿って形成されることを特徴とする。
【００１４】
また、本発明の冷蔵庫は、前記冷却室の下部近傍を画成する仕切体には、前記仕切体の前面と底面とをつなぎ前方から後方に向かって下降傾斜する傾斜面が形成されることを特徴とする。
【００１５】
また、本発明の冷蔵庫は、前記曲り部は、前記傾斜面に沿って形成されることを特徴とする。
【００１６】
また、本発明の冷蔵庫は、前記連結風路は、前記仕切体と一体的に成形されることを特徴とする。
【発明の効果】
【００１７】
本発明の冷蔵庫によれば、供給風路は、冷凍室の後方且つ冷却室の前方に形成されて前記冷却室につながる冷凍室供給風路と、前記冷蔵室の後方に形成される冷蔵室供給風路と、前記冷凍室と前記冷蔵室とを区画する仕切壁の後方に形成されて前記冷凍室供給風路と前記冷蔵室供給風路とをつなぐ連結風路と、を有し、前記連結風路には、前記連結風路の上部よりも下部が後方になるよう曲り部が形成される。これにより、連結風路の下部につながる冷蔵室供給風路の上部は、冷凍室供給風路の下部よりも後方に形成され、従来技術の冷蔵庫に比べて後方に、即ち冷蔵庫の背面に近く形成される。そのため、冷蔵室供給風路の上部が冷蔵室内に突き出ることが抑制され、冷蔵室の収納容積を大きく確保することができる。
【００１８】
また、本発明によれば、前記曲り部は、前記冷却室の下部近傍を画成する仕切体の前面から底面に沿って形成される。これにより、連結風路の下部をより後方に形成することができ、冷蔵室供給風路の上部を冷蔵庫の背面に近づけて、冷蔵室の上部を広く形成することができる。
【００１９】
また、本発明によれば、前記冷却室の下部近傍を画成する仕切体には、前記仕切体の前面と底面とをつなぎ前方から後方に向かって下降傾斜する傾斜面が形成される。これにより、曲り部の角度を緩やかに形成することができ、その結果、連結風路を流れる空気の流動損失が抑えられ、効率良く空気を流すことができる。
【００２０】
また、本発明によれば、前記曲り部は、前記傾斜面に沿って形成される。これにより、連結風路の曲り部を冷却室に近づけて、曲り部を流れる空気の流動損失を抑えつつ、連結風路の下部をより後方に形成することができる。
【００２１】
また、本発明によれば、前記連結風路は、前記仕切体と一体的に成形される。これにより、連結風路を冷却室に近づけることができるので、連結風路の下部がより後方に形成され、冷蔵室の上部を広く形成することができる。また、連結風路と仕切体とを一体成形することにより、部品数が削減され、冷蔵庫の組み立てが容易になる。
【図面の簡単な説明】
【００２２】
【図１】本発明の実施形態に係る冷蔵庫の概略構成を示す側面断面図である。
【図２】本発明の実施形態に係る冷蔵庫の供給風路の概略を示す正面図である。
【図３】本発明の実施形態に係る冷蔵庫の連結風路近傍を示す拡大断面図である。
【発明を実施するための形態】
【００２３】
以下、本発明の実施形態に係る冷蔵庫を図面に基づき詳細に説明する。
【００２４】
図１は、本発明の実施形態に係る冷蔵庫１の概略構成を示す側面断面図である。なお、図１ないし図３において、冷蔵庫１内の空気の流れを矢印で示している。図１に示すように、冷蔵庫１は、断熱箱体２を備え、該断熱箱体２の内部に食品等を貯蔵する貯蔵室が形成されている。貯蔵室の内部は、仕切壁８によって保存温度の異なる上段の冷凍室３と下段の冷蔵室４とに区画されている。なお、冷凍室３及び冷蔵室４の内部には、食品等を収納するための収納棚や収納容器等が設けられても良い。
【００２５】
断熱箱体２の前面は開口しており、各貯蔵室に対応した前記開口には、各々断熱扉５及び断熱扉６が開閉自在に設けられている。断熱扉５は、冷凍室３の開口を前方から塞ぎ、例えば、右端の上下端部が回転自在に断熱箱体２により支持されている。同様に、断熱扉６は、冷蔵室４の開口を前方から塞ぎ、例えば、右端の上下端部が回転自在に断熱箱体２により支持されている。
【００２６】
冷蔵庫１の本体である断熱箱体２は、前面が開口する鋼板製の外箱２ａと、該外箱２ａ内に間隙を持たせて配設され、前面が開口する合成樹脂製の内箱２ｂと、を有する。外箱２ａと内箱２ｂとの間隙には、発泡ポリウレタン製の断熱材２ｃが充填発泡されている。断熱扉５及び断熱扉６も、断熱箱体２と同様の断熱構造を採用している。
【００２７】
冷凍室３と冷蔵室４を区画する仕切壁８は、合成樹脂の成形品であり、その内部には、発泡ポリウレタン等の断熱材が充填され、若しくは発泡ポリスチレン等からなる断熱材が配設されている。なお、内箱２ｂは、上段の冷凍室３と下段の冷蔵室４との２つに分割される構成でも良く、その場合、上下段の内箱２ｂによって仕切壁８が形成されても良い。
【００２８】
冷凍室３の後方、即ち背面側には、冷凍室３及び冷蔵室４に供給される空気が流れる冷凍室供給風路１１が形成されている。冷凍室供給風路１１と冷凍室３との間には、合成樹脂製の仕切体２２が設けられ、冷凍室供給風路１１は、仕切体２２によって区画される。仕切体２２には、冷却された空気を冷凍室３に供給するための吹出口が形成される。なお、冷凍室３の下部には、冷凍室３と後述する冷却室３０とをつなぎ、冷凍室３から冷却室３０に空気を戻すための図示しない帰還風路が形成されている。
【００２９】
また、冷凍室供給風路１１の後方、即ち更に奥には、合成樹脂製の仕切体２１により区画されて、冷却室３０が形成されている。仕切体２１の上部には、冷却室３０と冷凍室供給風路１１とをつなぐ開口が形成されており、該開口には、冷凍室３及び冷蔵室４に冷却された空気を供給するための送風機３６が配設されている。
【００３０】
また、冷却室３０の下部は、合成樹脂製の露受部２３によって画成される。即ち、露受部２３は、冷却室３０の下部近傍の前面及び底面を構成する仕切体であり、その前面上部は、仕切体２１に連続する。なお、露受部２３には、除霜によって生ずる水分を排出するための図示しない排水管等が接続される。
【００３１】
そして、冷却室３０の内部には、冷蔵庫１内を循環する空気を冷却するための蒸発器である冷却器３１が配置されている。冷却器３１は、圧縮機３７、図示しない放熱器、図示しない膨張弁若しくは図示しないキャピラリーチューブに冷媒配管を介して接続されており、これにより、蒸気圧縮式の冷凍サイクル回路が構成される。なお、本実施形態に係る冷蔵庫１では、前記冷凍サイクル回路の冷媒として、Ｒ６００ａ、即ちイソブタンが用いられる。
【００３２】
冷蔵室４の後方には、冷却器３１で冷却された空気を冷蔵室４に供給する冷蔵室供給風路１３が形成されている。冷蔵室供給風路１３は、例えば、発泡ポリスチレン等の合成樹脂からなるダクト部材２６、及び内箱２ｂによって形成され、ダクト部材２６の前面には、合成樹脂製のダクトカバー２７が配設される。ダクト部材２６及びダクトカバー２７には、冷蔵室供給風路１３内の空気を冷蔵室４に供給するための吹出口が形成される。
【００３３】
仕切壁８の後方には、冷凍室供給風路１１の下部と、冷蔵室供給風路１３の上部と、をつなぐ連結風路１２が形成されている。連結風路１２の詳細については後述する。
【００３４】
なお、冷蔵庫１は、冷凍室３や冷蔵室４の温度を検出する温度センサや、その温度センサによって検出される冷凍室３や冷蔵室４の温度等に基づいて送風機３６や圧縮機３７の稼働停止や運転周波数等を制御する制御装置等を備えても良い。
【００３５】
図２は、冷蔵庫１の供給風路の概略を示す正面図であり、断熱扉５及び断熱扉６（図１参照）を外した状態を示している。なお、図２において、収納棚や収納容器等については図示を省略している。図２に示すように、冷凍室供給風路１１、連結風路１２及び冷蔵室供給風路１３は、冷蔵庫１の左右方向の略中央に形成され、上下方向に延在している。
【００３６】
連結風路１２の左右方向の外側には、冷却室３０につながる帰還風路１６が形成される。そして、冷蔵室４の上部、詳しくはダクトカバー２７の上部の側面には、帰還風路１６につながる図示しない戻り口が形成される。
【００３７】
このように、帰還風路１６が連結風路１２の左右に形成され、連結風路１２と帰還風路１６が冷蔵庫１の前後方向に重ならないよう形成されることにより、連結風路１２及び冷蔵室供給風路１３を冷蔵庫１の背面に近づけることができる。その結果、冷蔵室４を広く形成することができる。
【００３８】
次に、図１及び図２を参照して、冷蔵庫１のおける空気の循環について詳述する。冷却室３０の内部において冷却器３１で冷却された空気は、送風機３６によって、冷凍室供給風路１１に送り出される。冷凍室供給風路１１に送られた空気の一部は、仕切体２２に形成された吹出口を経由して冷凍室３に供給される。
【００３９】
他方、冷凍室供給風路１１に供給された空気の一部は、連結風路１２を経由して、冷蔵室供給風路１３に流れる。その後、冷蔵室供給風路１３内の空気は、ダクト部材２６及びダクトカバー２７に形成される吹出口を経由して冷蔵室４に供給される。
【００４０】
また、冷凍室３に供給された空気は、冷凍室３と冷却室３０をつなぐ図示しない帰還風路等を経由して、冷却室３０に戻される。他方、冷蔵室４に供給された冷気は、冷蔵室４の上部のダクトカバー２７に形成される戻り口から帰還風路１６を通過して冷却室３０に戻される。そして、冷却室３０に戻された空気は、冷却器３１で再び冷却された後に、送風機３６で各貯蔵室に送り出される。上記のようにして、冷却器３１で冷却された空気が冷凍室３及び冷蔵室４に供給されて、そこに収納される食品等が冷却される。
【００４１】
次に、図３を参照して、上記した連結風路１２の構成について詳述する。図３は、冷蔵庫１の連結風路１２近傍を示す拡大断面図である。図３に示すように、連結風路１２の上部は、冷却室３０の前方に形成され、冷凍室供給風路１１の下部につながる。また、連結風路１２の下部は、冷却室３０の下方に形成され、冷蔵室供給風路１３につながる。
【００４２】
詳しくは、連結風路１２は、仕切壁８の奥、即ち後方において、上部から下部に向かって、即ち空気の流れ方向に、冷蔵庫１の前方から後方に曲がる曲り部１５を有する。曲り部１５は、冷凍室３の底面よりも下方且つ冷蔵室４の天面よりも上方に形成される。曲り部１５が形成されることにより、連結風路１２は、その上部よりも下部が後方になるよう形成される。
【００４３】
これにより、連結風路１２の下部につながる冷蔵室供給風路１３の上部は、冷凍室供給風路１１の下部よりも後方に形成され、従来技術の冷蔵庫に比べて後方に、即ち冷蔵庫１の背面に近く形成される。そのため、冷蔵室供給風路１３の上部が冷蔵室４内に突き出ることが抑制され、冷蔵室４の収納容積を大きく確保することができる。
【００４４】
また、曲り部１５は、冷却室３０の下部近傍を画成する仕切体としての露受部２３の前面から底面に沿って形成される。換言すれば、連結風路１２と冷却室３０とは、仕切体としての露受部２３によって画成される。
【００４５】
このように、連結風路１２と冷却室３０とを仕切体としての露受部２３によって画成することにより、連結風路１２を冷却室３０に近づけることができる。その結果、連結風路１２の下部及びそこに接続される冷蔵室供給風路１３の上部を冷蔵庫１の背面に近づけて、冷蔵室４の上部を広く形成することができる。
【００４６】
また、仕切体としての露受部２３には、冷却室３０の前面と底面とをつなぎ前方から後方に向かって下降傾斜する傾斜面２４が形成される。このように傾斜面２４が形成されることにより、露受部２３に沿って形成される曲り部１５の曲り角度が小さくなる。即ち、連結風路１２における空気の流路変化が緩やかになる。これにより、連結風路１２を流れる空気の流動損失が抑えられ、空気を効率良く流すことができる。
【００４７】
また、連結風路１２は、冷却室３０の下部を画成する露受部２３と一体的に形成されても良い。詳しくは、連結風路１２、帰還風路１６（図２参照）及び露受部２３が一体成形されても良い。これにより、部品数が削減され、冷蔵庫１の組み立てが容易になる。
【００４８】
なお、本発明は、上記実施形態に限定されるものではなく、その他、本発明の要旨を逸脱しない範囲で、種々の変更実施が可能である。
【符号の説明】
【００４９】
１   冷蔵庫
２   断熱箱体
２ａ 外箱
２ｂ 内箱
２ｃ 断熱材
３   冷凍室
４   冷蔵室
５、６      断熱扉
８   仕切壁
１１ 冷凍室供給風路
１２ 連結風路
１３ 冷蔵室供給風路
１５ 曲り部
１６ 帰還風路
２１、２２  仕切体
２３ 露受部
２４ 傾斜面
２６ ダクト部材
２７ ダクトカバー
３０ 冷却室
３１ 冷却器
３６ 送風機
３７ 圧縮機
【図１】
2017106670.tif 000003
【図２】
2017106670.tif 000004
【図３】
2017106670.tif 000005